(57)【要約】【課題】区画内の空気を循環させることで設定温度に近づける区画について、空気を循環させる制御を行うことができる空気循環制御装置を提供する【解決手段】複数の区画における設定温度の情報を取得する設定温度取得部１０１と、複数の区画の区画内温度の情報を取得する区画内温度取得部１０２と、複数の区画に供給する風量を制御する可変風量制御部と、還気の温度の情報を取得する還気温度取得部１０３と、設定温度、区画内温度、および、還気の温度の情報に基づき、区画内の空気の循環が可能な循環区画の有無を判定する循環可否判定部１０４と、循環可否判定部１０４が循環区画ありと判定した場合、当該循環区画の前記可変風量制御部に風量増加指示を出力する風量制御指示部１０６とを備えた。【選択図】図２
2018162905.tif 000002
【特許請求の範囲】
【請求項１】
複数の区画における設定温度の情報を取得する設定温度取得部と、
前記複数の区画の区画内温度の情報を取得する区画内温度取得部と、
前記複数の区画に供給する風量を制御する可変風量制御部と、
空調機で生成され、前記複数の区画に設置された吹出口から各区画へ供給された後、各区画を通って前記吹出口から前記空調機に戻される空気である還気の温度の情報を取得する還気温度取得部と、
前記設定温度取得部が取得した設定温度、前記区画内温度取得部が取得した区画内温度、および、前記還気温度取得部が取得した還気の温度の情報に基づき、区画内の空気の循環が可能な循環区画の有無を判定する循環可否判定部と、
前記循環可否判定部が前記循環区画ありと判定した場合、当該循環区画の前記可変風量制御部に風量増加指示を出力する風量制御指示部
とを備えた空気循環制御装置。
【請求項２】
前記風量制御指示部は、
前記循環可否判定部が前記循環区画ありと判定した場合、当該循環区画以外の前記可変風量制御部に風量減少指示を出力する
ことを特徴とする請求項１記載の空気循環制御装置。
【請求項３】
前記循環可否判定部が前記循環区画ありと判定した場合、前記空調機から前記各区画へ供給する空気を生成する熱源機の運転を停止させる停止制御指示を出力する熱源機制御指示部
を備えた請求項１記載の空気循環制御装置。
【請求項４】
設定温度取得部が、複数の区画における設定温度の情報を取得するステップと、
区画内温度取得部が、前記複数の区画の区画内温度の情報を取得するステップと、
可変風量制御部が、前記複数の区画の風量を制御するステップと、
還気温度取得部が、空調機で生成され、前記複数の区画に設置された吹出口から各区画へ供給された後、各区画を通って前記吹出口から前記空調機に戻される空気である還気の温度の情報を取得するステップと、
循環可否判定部が、前記設定温度取得部が取得した設定温度、前記区画内温度取得部が取得した区画内温度、および、前記還気温度取得部が取得した還気の温度の情報に基づき、区画内の空気の循環が可能な循環区画の有無を判定するステップと、
風量制御指示部が、前記循環可否判定部が前記循環区画ありと判定した場合、当該循環区画へ供給する風量増加指示を出力するステップ
とを備えた空気循環制御方法。
【請求項５】
前記複数の区画を空調する全館空調システムであって、
請求項１から請求項３のうちのいずれか１項記載の空気循環制御装置を備えた
ことを特徴とする全館空調システム。
【発明の詳細な説明】
【技術分野】
【０００１】
この発明は、建物内の空気の循環を制御する空気循環制御装置、当該空気循環制御装置による空気循環制御方法、および、当該空気循環制御装置を備えた全館空調システムに関するものである。
【背景技術】
【０００２】
全館空調システムとして、例えば、建物内に所定の状態（温度状態または湿度状態等）に調整された調和空気を循環させるエアハンドリングユニットと、建物内を循環する調和空気の一部を入れ換えて換気を行う換気ユニットと、調和空気の循環路の一部を形成するダクトとを備え、ダクトには風量調整用のダンパが設置され、当該ダンパが開度調整されることで、各室内を所定温度等に維持するダクト式全館一括空調システムが知られている（例えば特許文献１）。
特許文献１に開示されている全館空調システムでは、換気が十分に行われないうちに暖冷房が完了してダンパが閉じられてしまわないよう、暖冷房対象区画の全てが所望の温度状態に達している時、または、予め定められた時間間隔で、全区画換気モードを実行し、全室のダンパを開けて空気の循環を行う。
【先行技術文献】
【特許文献】
【０００３】
【特許文献１】特開平８−７５２２５号公報
【発明の概要】
【発明が解決しようとする課題】
【０００４】
特許文献１に開示されている技術では、上述のとおり、全区画換気モードを実行し、空調の対象となる全室のダンパを開けて、当該全室の空気の循環を行う。
しかしながら、例えば、各部屋を異なる設定温度で空調しているような場合、全室を換気してしまうと、部屋によっては設定温度からの乖離が進み、設定温度を達成している部屋においては温度達成状態を維持できないという課題があった。
【０００５】
この発明は、上記のような課題を解決するためになされたもので、区画内の空気を循環させることで設定温度に近づける区画について、空気を循環させる制御を行うことができる空気循環制御装置を提供することを目的とする。
【課題を解決するための手段】
【０００６】
この発明に係る空気循環制御装置は、複数の区画における設定温度の情報を取得する設定温度取得部と、複数の区画の区画内温度の情報を取得する区画内温度取得部と、複数の区画に供給する風量を制御する可変風量制御部と、空調機で生成され、複数の区画に設置された吹出口から各区画へ供給された後、各区画を通って吹出口から空調機に戻される空気である還気の温度の情報を取得する還気温度取得部と、設定温度取得部が取得した設定温度、区画内温度取得部が取得した区画内温度、および、還気温度取得部が取得した還気の温度の情報に基づき、区画内の空気の循環が可能な循環区画の有無を判定する循環可否判定部と、循環可否判定部が循環区画ありと判定した場合、当該循環区画の可変風量制御部に風量増加指示を出力する風量制御指示部とを備えたものである。
【発明の効果】
【０００７】
この発明によれば、区画内の空気を循環させることで設定温度に近づける区画について、空気を循環させる制御を行うことができる。
【図面の簡単な説明】
【０００８】
【図１】この発明の実施の形態１に係る空気循環制御装置を備えた全館空調システムの概略構成図である。
【図２】この発明の実施の形態１に係る空気循環制御装置の構成図である。
【図３】この発明の実施の形態１に係る空気循環制御装置による循環制御の動作を説明するフローチャートである。
【発明を実施するための形態】
【０００９】
実施の形態１．
図１は、この発明の実施の形態１に係る空気循環制御装置１０を備えた全館空調システムの概略構成図である。
この実施の形態１では、図１に示すように、全館空調システムは、建物内の複数の部屋１００ａ〜１００ｃを対象に空調を行うものとする。
なお、この実施の形態１では、全館空調システムは、部屋１００ａ〜１００ｃの３つの部屋を空調の対象とするが、これは一例に過ぎず、全館空調システムは、例えば、２つまたは４つ以上の部屋を空調するものとしてもよいし、空調の対象を、建物内の通路等としてもよい。この実施の形態１では、空調の対象となる、建物内の複数の部屋または通路等を、まとめて区画ともいうものとする。
【００１０】
また、図１では、全館空調システムは、建物は、例えば１階建てとし、建物内の１フロアの部屋１００ａ〜１００ｃを対象に空調を行う場合を示しているが、これは一例に過ぎず、全館空調システムは、複数の階を有する建物内の区画を対象に空調を行うものであってもよい。
また、この実施の形態１では、全館空調システムは、ＶＡＶ（Ｖａｒｉａｂｌｅ  Ａｉｒ  Ｖｏｌｕｍｅ  Ｃｏｎｔｒｏｌ）制御（可変風量制御）の機能を搭載するものを想定している。ＶＡＶ制御では、建物内の区画ごとの温度設定を可能とし、ダンパ５ａ〜５ｃ（詳細は後述する）が各区画への風量を調整することで、各区画の温度を設定温度に近づける制御を行う。
【００１１】
空調システムは、冷風または温風を生成し、送出する空調機１と、空調機１が生成した冷風または温風が導入されるチャンバ２と、チャンバ２に接続して部屋１００ａ〜１００ｃの吹出口４ａ〜４ｃに通じるダクト３ａ〜３ｄと、ダンパ５ａ〜５ｃ等で構成される。
空調機１は、廊下等の室内に設置される室内機（図示省略）と室外に設置される室外機（図示省略）とで構成される。ここでは、空調機１は、室内機を示すものとして以下説明する。
空調機１は、熱源機１１と、送風機１２と、制御部１３と、吹出温度検知部１４と、還気温度検知部１５とを備える。また、空調機１は、空気循環制御装置１０を搭載する。
熱源機１１は、室外機からの冷媒配管（図示省略）に接続された、蒸発器または凝縮器として機能し、冷風または温風を生成して、送風機１２に出力する。
送風機１２は、熱源機１１が生成した冷風または温風等の空気を、ダクト３ｄに送出する。
空調機１は、例えば天井裏に設置されたチャンバ２に当該ダクト３ｄを介して接続され、空調機１が生成し、送出した冷風または温風等は、チャンバ２内へ導入される。
空調機１側からチャンバ２内へ導入された冷風または温風は、ダクト３ａ〜３ｃに分岐して、それぞれ、部屋１００ａ〜１００ｃに設置された吹出口４ａ〜４ｃから、各部屋１００ａ〜１００ｃ内に送出される。すなわち、空調機１で生成された冷風または温風等の空気は、吹出口４ａ〜４ｃから、各部屋１００ａ〜１００ｃに供給される。
【００１２】
吹出口４ａ〜４ｃには、図１に示すように、通風量を調整するダンパ５ａ〜５ｃが備えられる。
吹出口４ａ〜４ｃから吹き出された冷風または温風は、ダクト３ａ〜３ｃにつながる各部屋１００ａ〜１００ｃの吹出口４ａ〜４ｃに備えられたダンパ５ａ〜５ｃの開度によって送風量を調整される。調整されて送出されることで各部屋１００ａ〜１００ｃに供給された空気（吹出空気。図１のＡ参照）は、各部屋１００ａ〜１００ｃを通過した後、各部屋１００ａ〜１００ｃに設置された吹出口４ａ〜４ｃを通り、さらに、ダクト３ａ〜３ｃを通過して、空調機１に戻される（還気。図１のＢ参照）。
なお、この実施の形態１では、上述のとおり、吹出口４ａ〜４ｃにダンパ５ａ〜５ｃが設置され、当該ダンパ５ａ〜５ｃによって、各部屋１００ａ〜１００ｃへ供給される送風量が調整されるものとしたが、各部屋１００ａ〜１００ｃへ供給される送風量の調整は、ダンパ５ａ〜５ｃが行うものに限らず、ダンパ以外の可変風量装置が行うものであってもよく、各部屋１００ａ〜１００ｃへ供給される送風量が調整できるようになっていればよい。この実施の形態１では、ダンパ５ａ〜５ｃ、および、ダンパ以外の可変風量装置も含め、各部屋１００ａ〜１００ｃへ供給される送風量を調整する装置等を、まとめて、可変風量制御部ともいうものとする。可変風量制御部は、ここでは、一例として、吹出口４ａ〜４ｃに設置されるものとしているが、これに限らず、可変風量制御部は、分岐チャンパ内またはダクト内等、空気の供給路中に設置されてもよい。
【００１３】
空調機１の吹出温度検知部１４は、空調機１から各部屋１００ａ〜１００ｃへ送出する吹出空気の空気温度を検知する。
また、空調機１の還気温度検知部１５は、各部屋１００ａ〜１００ｃから空調機１に戻される還気の温度を検知する。
吹出温度検知部１４および還気温度検知部１５は、例えば、温度センサである。
【００１４】
空調機１の制御部１３は、吹出温度検知部１４および還気温度検知部１５が検知した空気温度の情報と、例えば各部屋１００ａ〜１００ｃに設置されたリモコン（図示省略）から取得した各部屋１００ａ〜１００ｃにおける設定温度の情報に基づき、吹出空気の温度制御動作を実行する。具体的には、制御部１３は、吹出温度検知部１４および還気温度検知部１５が検知した空気温度の情報と、例えば各部屋１００ａ〜１００ｃに設置されたリモコンから取得した各部屋１００ａ〜１００ｃにおける設定温度の情報に基づき、送出する吹出空気の温度を算出し、熱源機１１に対して、算出した温度となる空気を生成させる。また、制御部１３は、吹出温度検知部１４および還気温度検知部１５が検知した空気温度の情報と、例えば各部屋１００ａ〜１００ｃに設置されたリモコンから取得した各部屋１００ａ〜１００ｃにおける設定温度の情報に基づき、送出すべき送風量となるダンパ５ａ〜５ｃの開度を算出し、ダンパ５ａ〜５ｃに対して、算出した開度となるよう駆動制御し、送風量を調整させる。
なお、制御部１３は、リモコンから、リモコンインタフェース部（図示省略）を介して、設定温度の情報を取得するようにすればよい。
ユーザは、リモコンを操作して、各部屋１００ａ〜１００ｃの設定温度を所望の温度に設定することができる。
【００１５】
空気循環制御装置１０は、各部屋１００ａ〜１００ｃにおける設定温度の情報、区画内温度の情報、および、空調機１の還気温度検知部１５が検知した空気温度に基づき、部屋１００ａ〜１００ｃ間での空気の循環制御を行う。
ここで、循環制御とは、区画内温度よりも設定温度に近い空気を、他の部屋１００ａ〜１００ｃから、対象の部屋１００ａ〜１００ｃに供給することによって、対象の部屋１００ａ〜１００ｃの区画内温度を制御することをいう。当該循環制御においては、空調機１の熱源機１１を必要としない。
【００１６】
当該循環制御について、空調機１が暖房運転を行っている場合、すなわち、空調機１から各部屋１００ａ〜１００ｃに温風を供給している場合を例にとって、その原理を説明する。
暖房運転の際には、空調機１は、区画内温度よりも温度が高い空気（暖気）を供給して空調の対象となる部屋１００ａ〜１００ｃを暖めている。
しかし、全館空調システムにおいては、暖気が空調機１の近く、または、他の部屋１００ａ〜１００ｃに存在する場合がある。各部屋１００ａ〜１００ｃの設定温度の違い、または、日当たり等の影響によって、部屋１００ａ〜１００ｃごとに室内の温度状況が異なるためである。
【００１７】
そこで、全館空調システムにおいては、例えば、日当たり等の影響によって区画内温度が設定温度に満たない部屋（対象の部屋）があれば、他の部屋に存在する暖気を当該対象の部屋に供給することによって、空調機１の熱源機１１を用いずに、対象の部屋の区画内温度を上げることができる。
また、例えば、日当たり等の影響によって区画内温度が設定温度を超過する部屋（対象の部屋）があれば、より設定温度に近い、他の部屋の空気を供給することで、対象の部屋の区画内温度の超過を抑えることができる。
このように、区画間で熱の循環を行うことを、循環制御という。
なお、通常の個室エアコンにおいては、暖気は熱源機によって作り出さなければ存在し得ず、対象の区画への空気の供給元となる他の区画が存在しない。よって、当該循環制御は、全館空調システムのメリットの一つであると言える。
【００１８】
図２は、この発明の実施の形態１に係る空気循環制御装置１０の構成図である。
空気循環制御装置１０は、設定温度取得部１０１と、区画内温度取得部１０２と、還気温度取得部１０３と、循環可否判定部１０４と、熱源機制御指示部１０５と、風量制御指示部１０６とを備える。
空気循環制御装置１０は、ソフトウェアに基づくＣＰＵを用いたプログラム処理によって実行される。
【００１９】
設定温度取得部１０１は、例えば各部屋１００ａ〜１００ｃに設置されたリモコンから、各部屋１００ａ〜１００ｃにおける設定温度の情報を取得する。具体的な動作は、上述した、空調機１の制御部１３が各部屋１００ａ〜１００ｃにおける設定温度の情報を取得する動作と同様であるため重複した説明は省略する。
設定温度取得部１０１は、取得した設定温度の情報を循環可否判定部１０４に出力する。
【００２０】
区画内温度取得部１０２は、例えば各部屋１００ａ〜１００ｃに設置された温度センサから、各部屋１００ａ〜１００ｃの区画内温度の情報を取得する。
区画内温度取得部１０２は、取得した区画内温度の情報を循環可否判定部１０４に出力する。
【００２１】
還気温度取得部１０３は、空調機１の還気温度検知部１５が検知した還気の温度の情報を取得する。
還気温度取得部１０３は、取得した還気の温度の情報を循環可否判定部１０４に出力する。
【００２２】
循環可否判定部１０４は、設定温度取得部１０１から取得した設定温度の情報と、区画内温度取得部１０２から取得した区画内温度の情報と、還気温度取得部１０３から取得した還気の温度の情報とに基づき、部屋１００ａ〜１００ｃのうち、空調機１への還気を供給することで区画内温度を設定温度に近い温度になると判断できる部屋１００ａ〜１００ｃ、すなわち、室内の空気の循環が可能な部屋１００ａ〜１００ｃがあるかどうかを判定する。
循環可否判定部１０４は、室内の空気の循環が可能な部屋１００ａ〜１００ｃがあると判定した場合、当該室内の空気の循環が可能な部屋１００ａ〜１００ｃに関する情報を、循環区画情報として作成し、熱源機制御指示部１０５および風量制御指示部１０６に出力する。
室内の空気の循環が可能な部屋１００ａ〜１００ｃを、循環区画ともいうものとする。
【００２３】
熱源機制御指示部１０５は、循環可否判定部１０４から、循環区画情報が出力されると、空調機１の制御部１３に対して、熱源機１１の運転を停止させる停止制御指示を出力する。
当該停止制御指示が出力されると、制御部１３は、熱源機１１の運転を停止させる。
【００２４】
風量制御指示部１０６は、循環可否判定部１０４から、循環区画情報が出力されると、空調機１の制御部１３に対して、該当の部屋１００ａ〜１００ｃの室内へ吹出空気を供給する可変風量制御部に風量増加指示を出力する。例えば、この実施の形態１では、風量制御指示部１０６は、制御部１３に対して、該当の部屋１００ａ〜１００ｃの室内へ吹出空気を供給する吹出口４ａ〜４ｃに設置されたダンパ５ａ〜５ｃを開放させる風量増加指示を出力する。
当該風量増加指示が出力されると、制御部１３は、該当のダンパ５ａ〜５ｃを開放させる制御を行う。例えば、制御部１３は、開放させるダンパ５ａ〜５ｃの開度は全開とすればよい。
また、風量制御指示部は、循環可否判定部１０４から、循環区画情報が出力されると、循環区画以外の部屋１００ａ〜１００ｃの室内へ吹出空気を供給する可変風量制御部に風量減少指示を出力する。
当該風量減少指示が出力されると、制御部１３は、風量制御指示部１０６からの風量を増加させる指示の対象とならない部屋１００ａ〜１００ｃについて、室内の空気の循環が可能な区画ではないため、空気を循環させる制御は行わないようにする。
【００２５】
次に、この発明の実施の形態１に係る空気循環制御装置１０の動作について説明する。
図３は、この発明の実施の形態１に係る空気循環制御装置１０による循環制御の動作を説明するフローチャートである。
図３のフローチャートに沿って、空気循環制御装置１０の動作を説明する。
なお、以下の説明において、一例として、全館空調システムは、図１に示すように、建物内の１フロアの部屋１００ａ〜１００ｃを対象に空調を行うものとする。また、部屋１００ａ〜１００ｃの設定温度は、それぞれ、２３℃、２３℃、２４℃であり、部屋１００ａ〜１００ｃの区画内温度は、それぞれ、２４℃、２２℃、２４℃であるものとする。また、部屋１００ａ〜部屋１００ｃから空調機１への還気の温度は２３℃であり、空調機１によって各部屋１００ａ〜１００ｃへ供給される空気は、一律２３℃であるものとする。
【００２６】
設定温度取得部１０１は、例えば各部屋１００ａ〜１００ｃに設置されたリモコンから、各部屋１００ａ〜１００ｃにおける設定温度の情報を取得する（ステップＳＴ３０１）。ここでは、設定温度取得部１０１は、部屋１００ａの設定温度２３℃、部屋１００ｂの設定温度２３℃、および、部屋１００ｃの設定温度２４℃の情報を取得する。
設定温度取得部１０１は、取得した設定温度の情報を循環可否判定部１０４に出力する。
【００２７】
区画内温度取得部１０２は、例えば各部屋１００ａ〜１００ｃに設置された温度センサから、各部屋１００ａ〜１００ｃの区画内温度の情報を取得する（ステップＳＴ３０２）。ここでは、区画内温度取得部１０２は、部屋１００ａの区画内温度２４℃、部屋１００ｂの区画内温度２２℃、および、部屋１００ｃの区画内温度２４℃の情報を取得する。
区画内温度取得部１０２は、取得した区画内温度の情報を循環可否判定部１０４に出力する。
【００２８】
還気温度取得部１０３は、空調機１の還気温度検知部１５が検知した還気の温度の情報を取得する（ステップＳＴ３０３）。ここでは、還気温度取得部１０３は、還気の温度２３℃の情報を取得する。
還気温度取得部１０３は、取得した還気の温度の情報を循環可否判定部１０４に出力する。
【００２９】
循環可否判定部１０４は、ステップＳＴ３０１において設定温度取得部１０１が取得した設定温度の情報と、ステップＳＴ３０２において区画内温度取得部１０２が取得した区画内温度の情報と、ステップＳＴ３０３において還気温度取得部１０３が取得した還気の温度の情報とに基づき、循環区画があるかどうか、すなわち、部屋１００ａ〜１００ｃのうち、室内の空気の循環が可能な部屋１００ａ〜１００ｃがあるかどうかを判定する（ステップＳＴ３０４）。
【００３０】
ステップＳＴ３０４において、部屋１００ａ〜１００ｃのうち、室内の空気の循環が可能な部屋１００ａ〜１００ｃがあると判定した場合（ステップＳＴ３０４の“ＹＥＳ”の場合）、ステップＳＴ３０５に進む。
【００３１】
一方、ステップＳＴ３０４において、部屋１００ａ〜１００ｃのうち、室内の空気の循環が可能な部屋１００ａ〜１００ｃがないと判定した場合（ステップＳＴ３０４の“ＮＯ”の場合）、処理を終了する。
ここでは、部屋１００ａは、設定温度２３℃に対して区画内温度が２４℃であり、区画内温度が設定温度を超過している。また、空調機１への還気の温度は２３℃であり、部屋１００ａの区画内温度よりも低い温度になっている。
また、部屋１００ｂは、設定温度２３℃に対して区画内温度が２２℃であり、設定温度に対して区画内温度が不足している。また、空調機１への還気の温度は２３℃であり、部屋１００ｂの区画内温度よりも高い温度になっている。
【００３２】
そこで、循環可否判定部１０４は、部屋１００ａおよび部屋１００ｂで空気の循環が可能であると判定し、ステップＳＴ３０５に進む。すなわち、循環可否判定部１０４は、部屋１００ａおよび部屋１００ｂが、循環区画であると判定する。
このように、循環可否判定部１０４は、空調機１への還気を供給して室内の空気を循環させることで、区画内温度が設定温度に近い温度になると判断できる部屋１００ａ〜１００ｃが存在する場合、部屋１００ａ〜１００ｃのうち、室内の空気の循環が可能な部屋１００ａ〜１００ｃがあると判定する。
つまり、循環可否判定部１０４は、「空調機１の還気を供給すると区画内温度が改善するか否か」で、空調機１への還気を供給して室内の空気を循環させるかどうかを判断する。循環可否判定部１０４は、当該判断を、還気の温度と、部屋１００ａ〜１００ｃの設定温度と、部屋１００ａ〜１００ｃの区画内温度とによって行う。なお、区画内温度が改善する、すなわち、区画内温度が設置温度に近い温度になると判断できる部屋１００ａ〜１００ｃは、１つでもあれば、当該部屋の空気の循環を行う。
【００３３】
循環可否判定部１０４は、空気の循環が可能であると判定した部屋１００ａ〜１００ｃについて、当該部屋１００ａ〜１００ｃに関する情報を、循環区画情報として作成する（ステップＳＴ３０５）。ここでは、循環可否判定部１０４は、各部屋１００ａ〜１００ｃのうち、空調機１への還気を供給して室内の空気を循環させることで、区画内温度が設定温度に近い温度になると判断した部屋１００ａおよび部屋１００ｂの情報を含む循環区画情報を作成する。なお、循環区画情報は、空調機１への還気を供給して室内の空気の循環が可能であると判定した部屋１００ａ〜１００ｃを特定できるようになっていればよい。
【００３４】
循環可否判定部１０４は、ステップＳＴ３０５で作成した循環区画情報を、熱源機制御指示部１０５および風量制御指示部１０６に出力する（ステップＳＴ３０６）。
【００３５】
熱源機制御指示部１０５は、ステップＳＴ３０６において、循環可否判定部１０４から、循環区画情報が出力されると、空調機１の制御部１３に対して、熱源機１１の運転を停止させる停止制御指示を出力する（ステップＳＴ３０７）。
当該停止制御指示が出力されると、制御部１３は、熱源機１１の運転を停止させる。
【００３６】
風量制御指示部１０６は、ステップＳＴ３０６において、循環可否判定部１０４から、循環区画情報が出力されると、空調機１の制御部１３に対して、該当の部屋１００ａ〜１００ｃの室内へ吹出空気を供給する吹出口４ａ〜４ｃに設置されたダンパ５ａ〜５ｃを開放させる風量増加指示を出力する。また、このとき、風量制御指示部１０６は、循環区画以外の部屋１００ａ〜１００ｃについては、制御部１３に対して、当該循環区画以外の部屋１００ａ〜１００ｃの吹出口４ａ〜４ｃに設置されたダンパ５ａ〜５ｃから部屋１００ａ〜１００ｃに供給される風量を減少させる風量減少指示を出力する（ステップＳＴ３０８）。
【００３７】
ここでは、風量制御指示部１０６は、部屋１００ａ，１００ｂの室内へ吹出空気を供給する吹出口４ａ，４ｂに設置されたダンパ５ａ，５ｂを開放させる風量増加指示を出力する。また、風量制御指示部１０６は、部屋１００ｃの循環空気のやり取りが行われないようにする指示を、風量減少指示として出力する。例えば、風量制御指示部１０６は、部屋１００ｃの室内へ吹出空気を供給する吹出口４ｃに設置されたダンパ５ｃを閉鎖させる風量減少指示を出力する。なお、これは一例に過ぎず、部屋１００ｃの室内への吹出空気を減少させるものであればよいので、風量制御指示部１０６は、必ずしもダンパ５ｃを閉鎖させる風量減少指示とする必要はない。
【００３８】
風量増加指示が出力されると、制御部１３は、該当のダンパ５ａ，５ｂを開放させる制御を行う。
これにより、空調機１から２３℃の空気を部屋１００ａ，１００ｂの双方の部屋に供給し、空調機１を経由して二つの部屋１００ａ，１００ｂの空気が循環されるようになる（図１のＣ参照）。
また、制御部１３は、風量制御指示部１０６からの風量を増加させる指示の対象とならない部屋１００ｃについては、空気を循環させる制御を行わない。これにより、循環区画以外の区画については、循環空気のやり取りは行わない。
【００３９】
部屋１００ａおよび部屋１００ｂで室内空気が循環されるので、部屋１００ａの区画内温度は下がり、部屋１００ｂの区画内温度は上がって、それぞれの部屋の区画内温度が設定温度に近づくようになる。また、区画内温度が設定温度と等しい部屋１００ｃについては、循環空気のやり取りは行われず、設定温度を達成した状態が維持される。
また、このとき、空調機１の熱源機１１は、運転を停止しているので（ステップＳＴ３０７参照）、全館空調システムの省エネに貢献することができる。
【００４０】
なお、以上の説明では、ステップＳＴ３０１からステップＳＴ３０８の順で処理するものとして説明したが、ステップＳＴ３０１〜ステップＳＴ３０３の順番は入れ替わってもよい。また、ステップＳＴ３０７とステップＳＴ３０８の処理の順番は入れ替わってもよい。
【００４１】
以上の実施の形態１では、空気循環制御装置１０は、空調機１に搭載されるものとしたが、これに限らず、空気循環制御装置１０は、空調機１の外部に備えられ、ネットワークを介して、空調機１に対して制御指示を行い、全館空調システムにおける循環制御を行うものとしてもよい。
【００４２】
また、以上の実施の形態１では、図１で示したように、全館空調システムが備えるダクト３ａ〜３ｃは単一のダクトで構成されるものとし、建物内の各区画への冷気または暖気または空調機の還気の供給は、当該単一のダクト使用するものとしたが、これに限らない。例えば、建物内の各区画への冷気または暖気の供給を行う冷暖気用ダクトと、建物内の各区画への空調機の還気の供給を行う還気専用ダクトとを別々に備えるようにしてもよい。
【００４３】
以上のように、この実施の形態１によれば、全館空調システムにおいて循環制御を行う空気循環制御装置１０について、複数の区画（部屋１００ａ〜１００ｃ）における設定温度の情報を取得する設定温度取得部１０１と、複数の区画の区画内温度の情報を取得する区画内温度取得部１０２と、複数の区画に供給する風量を制御する可変風量制御部（ダンパ５ａ〜５ｃ）と、空調機１で生成され、複数の区画に設置された吹出口４ａ〜４ｂから各区画へ供給された後、各区画を通って吹出口４ａ〜４ｂから空調機１に戻される空気である還気の温度の情報を取得する還気温度取得部１０３と、設定温度取得部１０１が取得した設定温度、区画内温度取得部１０２が取得した区画内温度、および、還気温度取得部１０３が取得した還気の温度の情報に基づき、区画内の空気の循環が可能な循環区画の有無を判定する循環可否判定部１０４と、循環可否判定部１０４が、循環区画ありと判定した場合、当該循環区画の可変風量制御部に風量増加指示を出力する風量制御指示部１０６とを備えるように構成したので、区画内の空気を循環させることで設定温度に近づける区画について、空気を循環させる制御を行うことができる。
また、風量制御指示部１０６は、循環可否判定部１０４が循環区画ありと判定した場合、当該循環区画以外の可変風量制御部に風量減少指示を出力するようにしたので、目標を達成している区画の温度達成状態を維持したまま、その他の区画について、設定温度に近づけるよう、建物内の各区画の空気を循環させることができる。
【００４４】
また、この実施の形態１によれば、循環可否判定部１０４が循環区画ありと判定した場合、空調機１から各区画へ供給する空気を生成する熱源機１１の運転を停止させる停止制御指示を出力する熱源機制御指示部１０５を備えるように構成したので、全館空調システムの省エネに貢献することができる。
【００４５】
なお、本願発明はその発明の範囲内において、実施の形態の任意の構成要素の変形、もしくは実施の形態の任意の構成要素の省略が可能である。
【符号の説明】
【００４６】
１  空調機
２  チャンバ
３ａ〜３ｄ  ダクト
４ａ〜４ｃ  吹出口
５ａ〜５ｃ  ダンパ
１０  空気循環制御装置
１１  熱源機
１２  送風機
１３  制御部
１４  吹出温度検知部
１５  還気温度検知部
１００ａ〜１００ｃ  部屋
１０１  設定温度取得部
１０２  区画内温度取得部
１０３  還気温度取得部
１０４  循環可否判定部
１０５  熱源機制御指示部
１０６  風量制御指示部
【図１】
2018162905.tif 000003
【図２】
2018162905.tif 000004
【図３】
2018162905.tif 000005